(57)【要約】【課題】脱臭性や吸湿性等の炭素材としての特色を発揮できながら、美観性の向上をも発揮できるようにする。【解決手段】炭素材で構成された炭本体１が設けられ、炭本体１の表面の一部に装飾部２が設けてある。【選択図】図１
2007215840.tif 000002
【特許請求の範囲】
【請求項１】
炭素材で構成された炭本体が設けられ、前記炭本体の表面の一部に装飾部が設けてある炭材。
【請求項２】
前記炭本体は、導管を備えた植物を、その導管跡を残した状態に焼成された炭素材で構成され、前記装飾部は、前記導管跡の端部開口が密集する面以外の面に設けられている請求項１に記載の炭材。
【請求項３】
前記炭本体は、竹炭で構成されている請求項１又は２に記載の炭材。
【請求項４】
前記装飾部は、押し花を前記炭本体に接着して構成されている請求項１〜３の何れか一項に記載の炭材。
【請求項５】
前記装飾部には、光触媒を含む塗料が塗布されている請求項１〜４の何れか一項に記載の炭材。
【発明の詳細な説明】
【技術分野】
【０００１】
本発明は、炭素材よりなる炭本体によって構成されている炭材に関する。
【背景技術】
【０００２】
従来、この種の炭材としては、焼成によって得られた円柱形状の炭単体で構成されたものがよく知られている。そして、例えば、この炭材の複数を篭等の容器に入れた状態で室内の片隅に配置して、炭の持つ脱臭能、吸湿能、空気中のアンモニア及びシックハウス症候群の原因物質とされるＶＯＣ（揮発性有機化合物）の除去能を発揮させることで、室内空気の清浄化を図るのに使用されている。
尚、この様な従来技術に関しては、当業者の間で広く知られているものであるが、該当する炭材に関して詳しく言及した特許文献などは見あたらないので、先行技術文献は示していない。
【発明の開示】
【発明が解決しようとする課題】
【０００３】
上述した従来の炭材によれば、炭単体をそのままの状態で使用されるから、外観は黒い塊としての姿のままであり、美観性に欠け、人目の着くところには置き難いという問題点があった。
【０００４】
従って、本発明の目的は、上記問題点を解消し、前記空気清浄化作用を発揮できながら、美観性の向上も可能な炭材を提供するところにある。
【課題を解決するための手段】
【０００５】
本発明の第１の特徴構成は、炭素材で構成された炭本体が設けられ、前記炭本体の表面の一部に装飾部が設けてあるところにある。
【０００６】
本発明の第１の特徴構成によれば、炭素材で構成された炭本体が設けられ、前記炭本体の表面の一部に装飾部が設けてあるから、炭素材による脱臭能や吸湿能、空気中のアンモニア及びＶＯＣ（揮発性有機化合物）の除去能等の特色を発揮することができながら、前記装飾部を設けることによる美観性の向上を図ることが可能となる。
そして、炭本体の表面の一部に装飾部を設けることによって、炭素材と装飾部との融合による意匠性の向上を図ることが可能となる。即ち、装飾部単体による装飾性に比べて、前記炭素材による自然な色彩が加わることによって、前記装飾部の装飾性をより引き立たせることが可能となる。
従って、炭材全体とした美観性の向上を図ることが可能となる。
【０００７】
本発明の第２の特徴構成は、前記炭本体は、導管を備えた植物を、その導管跡を残した状態に焼成された炭素材で構成され、前記装飾部は、前記導管跡の端部開口が密集する面以外の面に設けられているところにある。
【０００８】
本発明の第２の特徴構成によれば、本発明の第１の特徴構成による上述の作用効果を叶えることができるのに加えて、炭素材による前記特色は、導管跡内を空気が流通して管周壁に接触することでより効率よく叶えることができるから、前記導管跡の端部開口が閉塞しない状態にすることが重要で、この意味において、前記装飾部を、前記導管跡の端部開口が密集する面以外の面に設けられていることで、前記炭素材としての特色をより効率よく発揮させながら装飾部による装飾効果を発揮することが可能となる。
【０００９】
本発明の第３の特徴構成は、前記炭本体は、竹炭で構成されているところにある。
【００１０】
本発明の第３の特徴構成によれば、本発明の第１又は２の特徴構成による上述の作用効果を叶えることができるのに加えて、竹炭は、木炭に比べてより多孔質であり、前記導管跡の表面積が広いことから、炭素材による前記特色を、更に効率よく発揮することが可能となる。
また、竹が円筒形状であるから竹炭は、湾曲した板形状のものが簡単に得られ、装飾部を形成する際に、例えば、突曲側の面や、湾曲側の面の広い面を使用して装飾部を構成することが可能となり、より装飾性の高い炭材を形成することが可能となる。
【００１１】
本発明の第４の特徴構成は、前記装飾部は、押し花を前記炭本体に接着して構成されているところにある。
【００１２】
本発明の第４の特徴構成によれば、本発明の第１〜３の何れかの特徴構成による上述の作用効果を叶えることができるのに加えて、より自然に近い装飾部を形成することが可能となり、例えば、観賞用として、癒しや和みの効果を発揮しやすくなる。
【００１３】
本発明の第５の特徴構成は、前記装飾部には、光触媒を含む塗料が塗布されているところにある。
【００１４】
本発明の第５の特徴構成によれば、本発明の第１〜４の何れかの特徴構成による上述の作用効果を叶えることができるのに加えて、前記光触媒を含む塗料が、光による酸化力を発揮でき、空気の殺菌効果や臭いの分解効果を発揮することが可能となり、炭素材のもつ前記特色と合わせて、空気浄化作用をより効率よく発揮することができる。
【発明を実施するための最良の形態】
【００１５】
以下に本発明の実施の形態を図面に基づいて説明する。
【００１６】
図１は、本発明の炭材の一実施形態品（以後、単に炭材という）Ｃを示すもので、炭素材で形成された炭本体１によって構成されており、前記炭本体１の表面の一部には装飾部２が形成されている。
【００１７】
前記炭本体１は、竹炭で構成されており、図に示すように、湾曲板形状に形成してある。即ち、円筒状の原材料である竹が、周方向及び長手方向にそれぞれ複数分割された形状となっている。そして、炭本体１は、竹の長手方向に沿って細長い形状に分割形成されている。
従って、竹そのものの繊維方向は、長手方向に沿っており、多数の導管（水を吸い上げて上方に導く管）の跡も、同様に炭本体１の長手方向に沿う状態に残されている。そして、その導管跡の端部開口は、炭本体１の両端面１ａに密集して位置している。炭本体１の各表面や、特に多くの導管跡が開口している前記両端面１ａから内部に空気が流通することで、炭素材による脱臭能や吸湿能、空気中のアンモニア及びＶＯＣ（揮発性有機化合物）の除去能等の特色を発揮することができ、炭本体１による空気清浄効果が叶えられる。
【００１８】
前記装飾部２は、前記炭本体１の凸曲面１ｂに形成されており、この凸曲面１ｂの表面は、元々の竹の樹皮が炭化したものであり、より平滑な仕上がりとなっているから、他の面に比べて装飾部２を形成しやすい。
また、前記凸曲面１ｂの大半の範囲には、装飾部２の背景となる下地塗料２ａが塗布されており、その下地塗料２ａの上に、押し花２ｂや、植物の葉２ｃや、別の塗料によって描かれた絵２ｄ等が設けられている。
これら、下地塗料２ａ、押し花２ｂ、葉２ｃ、絵２ｄによって前記装飾部２が構成されている。
【００１９】
前記押し花２ｂや葉２ｃは、接着材によって前記下地塗料２ａ上に接着されている。
【００２０】
尚、前記下地塗料２ａや、前記絵２ｄを描くのに使用された塗料は、通常のものを使用してもよいが、光触媒を含む塗料を用いれば、光による酸化力を発揮でき、空気の殺菌効果や臭いの分解効果を発揮することが可能となる。
尚、一般的には、前記光触媒としては、二酸化チタン等が挙げられ、酸化チタンが太陽光や蛍光灯からの光に含まれる紫外線を吸収し、酸化還元反応を起こすことで悪臭の原因となる有機化合物や細菌を分解し、炭酸ガスや水に分解することができる。また、リン酸チタニア化合物を追加すれば、空気中の酸素と水に反応して触媒作用を起こすことが可能となり、光の届かない場所や夜間でも光触媒と同様の効果を発揮する。
【００２１】
本実施形態の炭材Ｃによれば、炭素材による前記特色を発揮することができながら、前記装飾部２を設けることによる意匠性の向上を図ることができ、炭素材と装飾部２との融合による炭材全体とした美観性の向上を図ることが可能となる。
更には、自然の押し花２ｂや葉２ｃ等の素材を使用して装飾部２を構成してあることで、癒し効果や和み効果をも期待することが可能となる。
【００２２】
〔別実施形態〕
以下に他の実施の形態を説明する。
【００２３】
〈１〉  前記装飾部２は、先の実施形態で説明したように、炭本体１の凸曲面１ｂの一部に設けてあるものに限るものではなく、例えば、湾曲面や、側端面等に設けてあってもよい。但し、前記炭素材による特色を効率よく発揮できるようにするために、装飾部２は、前記導管跡の端部開口が密集する面１ａ以外の面に設けられていることが好ましい。
また、装飾部２そのものの構成は、先の実施形態で説明したような下地塗料２ａ、押し花２ｂ、葉２ｃ、絵２ｄによって構成されているものに限らず、これらの一部の構成の単独、又は、組み合わせであったり、新たな装飾用構成を追加して構成するものであってもよい。
〈２〉  前記炭本体１は、先の実施形態で説明した竹炭で構成されたものに限るものではなく、例えば、木材を原材料として焼成された炭（備長炭に代表される白炭や、黒炭や、低温炭等）であってもよい。従って、炭本体１の形状は、先の実施形態で説明した湾曲板形状に限るものではなく、例えば、円柱形状や、平板形状等、種々の形状を採用することができる。
【００２４】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２５】
【図１】炭材を示す斜視図と端面図
【符号の説明】
【００２６】
１      炭本体
２      装飾部
２ａ    下地塗料
２ｂ    押し花
【図１】
2007215840.tif 000003